(57)【要約】【課題】  ランプを指でつかむようなクリアランスがない場合でも容易にランプ交換作業ができ、しかも断面を最小寸法に設計することを可能にする。【解決手段】  本体１と、本体１の開口より内部にランプとともに収納されてランプを接続した状態で保持可能なランプ保持部材４とを備え、ランプ保持部材４の長手方向の一端側が本体１の内部から下方へ取り出されるように他端が本体１に回動自在に取付けられ、かつランプ保持部材４の一端の端面側に係止部７を設け、この係止部７に係脱自在に係止する被係止部８を本体１側に設けた。これにより、本体１の側壁とランプとの間にランプを指でつかむだけのクリアランスがないほど本体１の断面が小さくてもランプ交換を可能とする。また、ランプ保持部材４の一端の端面側に係止部７および被係止部８が配置されるため、本体の断面を最小寸法に設計することが可能となる。【選択図】  図１
2006012535.tif 000002
【特許請求の範囲】
【請求項１】
下方に開口を有した箱状の本体と、前記本体の開口より内部にランプとともに収納されてランプを接続した状態で保持可能なランプ保持部材とを備え、前記ランプ保持部材の長手方向の一端側が前記本体の内部から下方へ取り出されるように他端が前記本体に回動自在に取付けられ、かつ前記ランプ保持部材の一端の端面側に係止部を設け、この係止部に係脱自在に係止する被係止部を前記本体側に設けたことを特徴とする照明器具。
【請求項２】
前記ランプ保持部材の一端に、引き下ろし操作部を突出形成した請求項１記載の照明器具。
【請求項３】
前記係止部は前記ランプ保持部材の長手方向外側に突出して前記被係止部に係止される爪と、前記ランプ保持部材の下側に露出して前記爪の係止を解除操作可能とした操作部とからなる請求項１記載の照明器具。
【請求項４】
前記引き下ろし操作部は、前記ランプ保持部材の一端の端面の下端にランプ保持部材の長手方向外側へ突出し、前記係止部は前記引き下ろし操作部の上方に配置されて弾性変形可能な係合部を有するばねであり、前記被係止部は前記係合部が係止する穴部を有し上下方向に移動自在に前記本体側に保持された垂直片と前記引き下ろし操作部と略同一面に配置される水平片とからなるＬ形金具であり、前記水平片を押し込むことにより前記係合部と前記穴部の係止が解除され、前記引き下ろし操作部の上面が露出されるようにした請求項２記載の照明器具。
【発明の詳細な説明】
【技術分野】
【０００１】
この発明は、直管蛍光ランプ等を用いた照明器具に関するものである。
【背景技術】
【０００２】
従来の照明器具は、図１３に示すように、下方に開口を有した箱状の本体１、本体１の内面に取付けられた反射板２、本体１の内部に収納されるランプ３等の部品から構成されている。
【０００３】
従来はランプ交換を行う際、ランプ３を指でつかむだけのクリアランスが反射板２とランプ３との間に設けられており、ランプ３を指でつかんだ後、ランプソケットが回転式の場合はランプを９０°回転させて取り外す。また、ランプソケットが押し込み式の場合は、ランプ３をランプ軸に沿って片側押し込み、引き下げることによってランプ３を取り外す。ランプ取付けの際は逆の手順で作業する。
【０００４】
また、他の照明器具として、ランプをランプ保持部材で保持するとともに、ランプ保持部材のランプ一端側を引き下ろすことができるように、ランプ他端側を回動自在に本体に取付けた構成もある（特許文献１参照）。
【特許文献１】特開２００１−３０７５１２号公報
【発明の開示】
【発明が解決しようとする課題】
【０００５】
しかしながら、図１３の照明器具では、ランプ交換する際、ランプを指でつかむようなクリアランスがないほど本体の断面が小さい場合、その作業が困難である。一方、クリアランスを確保すると本体が大型化するという問題がある。
【０００６】
また、特許文献１に示された照明器具では、ランプ保持部材のランプ一端側を引き下ろすことができるため、ランプを指でつかむようなクリアランスがない場合でも対応できる。しかしながら、ランプ保持部材の中間部の上面を本体に着脱自在に取付ける構成のため、その取付部により本体の断面が大きくなる。
【０００７】
したがって、この発明の目的は、ランプを指でつかむようなクリアランスがない場合でも容易にランプ交換作業ができ、しかも断面を最小寸法に設計することが可能となる照明器具を提供することである。
【課題を解決するための手段】
【０００８】
上記課題を解決するためにこの発明の請求項１記載の照明器具は、下方に開口を有した箱状の本体と、前記本体の開口より内部にランプとともに収納されてランプを接続した状態で保持可能なランプ保持部材とを備え、前記ランプ保持部材の長手方向の一端側が前記本体の内部から下方へ取り出されるように他端が前記本体に回動自在に取付けられ、かつ前記ランプ保持部材の一端の端面側に係止部を設け、この係止部に係脱自在に係止する被係止部を前記本体側に設けた。
【０００９】
請求項２記載の照明器具は、請求項１記載の照明器具において、前記ランプ保持部材の一端に、引き下ろし操作部を突出形成した。
【００１０】
請求項３記載の照明器具は、請求項１記載の照明器具において、前記係止部は前記ランプ保持部材の長手方向外側に突出して前記被係止部に係止される爪と、前記ランプ保持部材の下側に露出して前記爪の係止を解除操作可能とした操作部とからなる。
【００１１】
請求項４記載の照明器具は、請求項２記載の照明器具において、前記引き下ろし操作部は、前記ランプ保持部材の一端の端面の下端にランプ保持部材の長手方向外側へ突出し、前記係止部は前記引き下ろし操作部の上方に配置されて弾性変形可能な係合部を有するばねであり、前記被係止部は前記係合部が係止する穴部を有し上下方向に移動自在に前記本体側に保持された垂直片と前記引き下ろし操作部と略同一面に配置される水平片とからなるＬ形金具であり、前記水平片を押し込むことにより前記係合部と前記穴部の係止が解除され、前記引き下ろし操作部の上面が露出されるようにした。
【発明の効果】
【００１２】
この発明の請求項１記載の照明器具によれば、ランプ保持部材の長手方向の一端側が本体の内部から下方へ取り出されるように他端が本体に回動自在に取付けられ、かつランプ保持部材の一端の端面側に係止部を設け、この係止部に係脱自在に係止する被係止部を本体側に設けたので、本体とランプとの間にランプを指でつかむだけのクリアランスがないほど本体の断面が小さくてもランプ交換を可能とする。また、ランプ保持部材の一端の端面側に係止部および被係止部が配置されるため、本体の断面を最小寸法に設計することが可能となり、省材料かつスリムでデザイン性の良い空間に溶け込むような照明器具とすることができる。
【００１３】
請求項２では、ランプ保持部材の一端に引き下ろし操作部を突出形成したので、ランプ交換の際には、引き下ろし操作部を持ってまたは手をかけて下方に引き下げることにより、係止部と被係止部の係止が解除されて、ランプ保持部材を引き下ろすことができる。
【００１４】
請求項３では、係止部はランプ保持部材の長手方向外側に突出して被係止部に係止される爪と、ランプ保持部材の下側に露出して爪の係止を解除操作可能とした操作部とからなるので、ランプ交換の際には、操作部を操作して爪を引っ込めることにより、爪と被係止部の係止が解除されて、ランプ保持部材が自重によって下方に降りる。また、操作部を操作しないと係止が解除されないため振動に対して強い構成である。
【００１５】
請求項４では、引き下ろし操作部は、ランプ保持部材の一端の端面の下端にランプ保持部材の長手方向外側へ突出し、係止部は引き下ろし操作部の上方に配置されて弾性変形可能な係合部を有するばねであり、被係止部は係合部が係止する穴部を有し上下方向に移動自在に本体側に保持された垂直片と引き下ろし操作部と略同一面に配置される水平片とからなるＬ形金具であり、水平片を押し込むことにより係合部と穴部の係止が解除され、引き下ろし操作部の上面が露出されるようにしたので、Ｌ形金具の水平片を押し込むことによって、ばねの係合部が穴部から外れるが、ばねの弾性によって垂直片に圧接し、ランプ保持部材は仮保持される。この状態で、露出した引き下ろし操作部を持って下方に引き下げるため、２段階で引き下ろすことができ、ランプ保持部材が落下する恐れが軽減され安全性が向上する。また、ランプ取付け状態では、引き下ろし操作部とＬ形金具の水平片が略面一に配置されているため、引き下ろし操作部の上面が露出せず、外観品質が良好である。
【発明を実施するための最良の形態】
【００１６】
この発明の第１の実施の形態の照明器具を図１〜図３に基づいて説明する。図１は本発明の第１の実施形態の照明器具の要部斜視図、図２はその作用説明図、図３（ａ）は照明器具のランプ取付状態の斜視図、（ｂ）はそのランプ交換時の斜視図である。
【００１７】
この照明器具は、図３に示すように、主に本体１、反射板２、ランプ３等の部品を備えている点は従来例と同様である。
【００１８】
すなわち、本体１は対向する側壁間に形成された内部空間の下方に開口を有した箱状の部品であり、側壁の内面に沿って反射板２が配置されている。図１に示すように、本体１の一端の近傍にはプレート５が設けてある。また、ランプをソケットに接続した状態で保持可能なランプ保持部材４が本体１の開口より内部にランプとともに収納されている。ランプ保持部材４は、その長手方向の一端側が本体１の内部から下方へ取り出されるように他端が蝶番等により本体１に回動自在に取付けられている（図示せず）。ランプは、ランプ保持部材４が収納状態にあるときは、その全てが、本体１の開口よりも内側に収納されている。ランプ保持部材４が下方へ取り出されたときにランプ端部側面が露出する。また、ランプ保持部材４の一端の端面側に係止部を設け、この係止部に係脱自在に係止する被係止部を本体１側に設けている。
【００１９】
この場合、ランプ保持部材４の断面は溝形であり、その一端に取付片６の上端が嵌合固定されている。この取付片６は本体１のプレート５に近接した状態で対向配置され、取付片６に係止部、プレート５に被係止部を設けている。係止部は、両端が取付片６に固定されたくびれ部分７ｂに連続してその上に広がり部分７ａを有するばね７である。広がり部分７ａの上端は、取付片６より突設した突部６ａにより下方への移動を阻止するように位置決めされている。被係止部は、プレート５に形成された横方向に対向するリブで８ある。リブ８はＬ形に切り起こされ、下方が広がるようにテーパが形成されている。また、図２（ａ）に示すように、ばね７の広がり部分７ａの寸法Ａ、くびれ部分７ｂの寸法Ｃ、リブ８の内寸Ｂの関係は自然状態で、Ａ＞Ｃ≧Ｂに設定されている。
【００２０】
また、ランプ保持部材４の一端の端面の下端に内側へ突出させた引き下ろし操作部９を有する。この場合、取付片６の下端を折り畳むように折曲してさらに先端が外向きとなるように内側へ折曲して引き下ろし操作部９を形成している。この引き下ろし操作部９の下片は、本体１の下面と略同一面に形成されてデザイン性に優れること、また、指が引っ掛かる部分の逆方向にも突出させることで、係止部や被係止部の係止部分を隠すようにもできる。なお、係止部および被係止部の構成は図３において図示していない。また、図３において、１９は安定器である。
【００２１】
次に上記照明器具のランプ交換作業について説明する。
【００２２】
図２に示すように、ランプ取付けの際、ランプ保持部材４を上方に押し上げることにより、ばね７が本体１の対向するリブ８間に入って広がり部分７ａが圧縮された状態で押し上げられ、くびれ部分７ｂに嵌合することによって係止される。
【００２３】
また、ランプ取外しの際には、ランプ保持部材４の引き下ろし操作部９を持ちまたは手をかけて下方に引き下げることにより、ばね７の広がり部分７ａの幅Ａが縮められ、リブ８の内寸Ｂより小さくなることにより係止が解除されて引き下ろすことができる。
【００２４】
以上のようにこの実施形態によれば、本体１の反射板２とランプとの間にランプを指でつかむだけのクリアランスがないほど本体１の断面が小さくてもランプ交換を可能とする。また、ランプ保持部材４の一端の端面側に係止部および被係止部が配置されるため、本体１の断面を最小寸法に設計することが可能となり、省材料かつスリムでデザイン性の良い空間に溶け込むような照明器具とすることができる。なお、リブ８は溶接により付設してもよい。また、引き下ろし操作部９の突出方向は内側でも外側でもよいが、内側の場合は、指を引き下ろし操作部に引っ掛けるための空間をランプの収納空間と連通させることができるのでデザイン性に優れる。
【００２５】
この発明の第２の実施の形態の照明器具を図４に基づいて説明する。図４（ａ）は本発明の第２の実施形態の照明器具の要部斜視図、（ｂ）は一部破断側面図である。なお、第１の実施形態と同一部分には同一符号を付して説明を省略する。
【００２６】
図４に示すように、ランプ保持部材４の断面は溝形であり、その一端に取付片１０の上端が嵌合固定されている。この取付片１０に係止部、本体１側に被係止部を設けている。係止部は、取付片１０に設けられた角形の穴部１１を有する。被係止部は、上端が本体１に固定されて取付片１０の穴部１１に嵌合する嵌合部１２ａを下部に形成したばね１２である。嵌合部１２ａは略コ字形に折曲形成され、下片１２ｂを下向きに傾斜させてランプ保持部材４の一端に当接可能としている。また、取付片１０の下端を折り畳むように折曲してさらに先端が外向きとなるように内側へ折曲して引き下ろし操作部１３を形成している。
【００２７】
次に上記照明器具のランプ交換作業について説明する。
【００２８】
図４に示すように、ランプ取付けの際、ランプ保持部材４を上方に押し上げることにより、ランプ保持部材４の一端がばね１２の下片１２ｂに当接してその傾斜に沿って外側へ弾性変形し、嵌合部１２ａが取付片１０に圧接する。さらにランプ保持部材４を押し上げると嵌合部１２ａが穴部１１に嵌合し係止される。
【００２９】
また、ランプ取外しの際には、ランプ保持部材４の引き下ろし操作部１３を持ち下方に引き下げることにより、嵌合部１２ａが穴部１１の外側へ押しやられて係止が解除し引き下ろすことができる。本実施形態でも第１の実施形態と同様の効果が得られる。
【００３０】
この発明の第３の実施の形態の照明器具を図５に基づいて説明する。図５（ａ）は本発明の第３の実施形態の照明器具の一部破断断面図、（ｂ）はその下から見た概略図である。なお、第１の実施形態と同一部分には同一符号を付して説明を省略する。
【００３１】
図５に示すように、本体１の一端の近傍にはプレート１５が設けてある。また、ランプ保持部材４の断面は溝形であり、その一端に取付片１６の上端が嵌合固定されている。この取付片１６に係止部１７、プレート１５に被係止部１８を設けている。
【００３２】
係止部１７は、ランプ保持部材４の長手方向外側に突出して被係止部１８に係止される爪１７ａと、ランプ保持部材４の下側に露出して爪１７ａの係止を解除操作可能とした操作部１７ｂとからなる。この場合、取付片１６の下部を略水平に折曲した水平片１６ａの上面に係止部１７が回動自在に取付けられている。この係止部１７の爪１７ａの回動軸に一体に固定された操作部１７ｂが水平片１６ａに設けた穴より下方に露出し、工具等によって回動操作できるようにしている。被係止部１８は、水平片１６ａと略同一面となるようにプレート１５の下部を折曲し爪１７ａを支持可能な支持片１８ａと、爪１７ａの上側を押えるように支持片１８ａに固定された押え片１８ｂとからなる。
【００３３】
次に上記照明器具のランプ交換作業について説明する。
【００３４】
図５に示すように、ランプ取付けの際、ランプ保持部材４を上方に持ち上げ、水平片１６ａと支持片１８ａが略面一の状態で操作部１７ｂを工具により９０°回転させることで爪１７ａが突出し、被係止部１８の支持片１８ａに係止される。また、爪１７ａは押え片１８ｂにより上方への移動が規制される。
【００３５】
また、ランプ取外しの際には、逆の手順を行う。すなわち操作部１７ｂを９０°逆回転させることにより爪１７ａが内部に収納されて係止が解除され、ランプ保持部材４が自重により下方に降りランプ交換が可能となる。本実施形態でも第１の実施形態と同様の効果が得られる。
【００３６】
この発明の第４の実施の形態の照明器具を図６に基づいて説明する。図６（ａ）は本発明の第４の実施形態の照明器具の一部破断断面図、（ｂ）はその下から見た概略図である。なお、第１および第３の実施形態と同一部分には同一符号を付して説明を省略する。
【００３７】
図６に示すように、本実施形態は、第３の実施形態において係止部の構成が異なる。すなわち、係止部２０は、ランプ保持部材４の長手方向外側に突出して被係止部１８に係止される爪２０ａと、ランプ保持部材４の下側に露出して爪２０ａの係止を解除操作可能とした操作部２０ｂとからなる。この場合、取付片１６の下部を略水平に折曲した水平片１６ａの上面に係止部２０が進退自在に取付けられている。この係止部２０の爪２０ａに一体に固定された操作部２０ｂが水平片１６ａに設けた長穴２１より下方に露出し、工具等によって操作できるようにしている。
【００３８】
次に上記照明器具のランプ交換作業について説明する。
【００３９】
図６に示すように、ランプ取付けの際、ランプ保持部材４を上方に持ち上げ、水平片１６ａと支持片１８ａが略面一の状態で操作部１７ｂを水平方向に動かすことで爪２０ａが突出し、被係止部１８の支持片１８ａに係止される。また、爪２０ａは押え片１８ｂにより上方への移動が規制される。
【００４０】
また、ランプ取外しの際には、操作部２０ｂを水平方向に逆方向に動かすことにより爪２０ａが内部に収納されて係止が解除され、ランプ保持部材４が自重により下方に降りランプ交換が可能となる。本実施形態でも第１の実施形態と同様の効果が得られる。
【００４１】
この発明の第５の実施の形態の照明器具を図７に基づいて説明する。図７は本発明の第５の実施形態の照明器具の一部破断断面図である。
【００４２】
図７に示すように、本体１の一端の近傍には固定部材２５が設けてある。ランプ保持部材２６は、第１の実施形態と同様に回動自在に構成されているが、ソケット２７より突出した一端に係止部、固定部材２５に被係止部を設けている。
【００４３】
係止部は、ランプ保持部材２６の一端の水平片に設けた穴とこの穴に挿通されるつまみねじ２８とからなる。なお、ランプ保持部材２６はつまみねじ２８の操作に支障がないように上向きに開口した溝形等であることが望ましい。被係止部は、固定部材２５に固定された固定金具２９である。固定金具２９は、ランプ保持部材２６の一端の水平片に当接し穴に整合するねじ穴を設けた折曲片２９ａを有する。
【００４４】
次に上記照明器具のランプ交換作業について説明する。
【００４５】
図７に示すように、ランプ取付けの際、ランプ保持部材２６を上方に持ち上げつまみねじ２８を折曲片２９ａのねじ穴に対して締め付けることにより、ランプ保持部材２６が本体１側に係止される。
【００４６】
また、ランプ取外しの際には、つまみねじ２８を緩めることにより係止が解除され、ランプ保持部材２６が自重により下方に降りランプ交換が可能となる。本実施形態でも第１の実施形態と同様の効果が得られる。
【００４７】
この発明の第６の実施の形態の照明器具を図８および図９に基づいて説明する。図８は本発明の第６の実施形態の照明器具の一部破断断面図、図９は第６の実施形態に用いる金具の斜視図である。
【００４８】
図８に示すように、本体１の一端の近傍には固定部材３０が設けてある。ランプ保持部材３１は第１の実施形態と同様に回動自在に構成され、その一端の上片を折曲した部分に取付金具３２が固着具等により取付けられている。取付金具３２は、図９に示すように、ランプ保持部材３１の一端に当接する垂直片３２ａと、垂直片３２ａの下端に折曲形成された水平片３２ｂとを有する。水平片３２ｂには穴３２ｃが設けてある。また、垂直片３２ａの両側縁に対向する側片３２ｄが設けられ、その側片３２ｄより内向きに対向する突片３２ｅが突設してある。この取付金具３２に係止部３３、固定部材３０に被係止部３４を設けている。
【００４９】
係止部３３は、回転構造の金具であり、具体的には取付金具３２の側片３２ｄ，３２ｄ間に収まる垂直片３３ａと、垂直片３３ａの下端に折曲形成された水平片３３ｂとを有する。また、垂直片３３ａの両側縁に対向する側片３３ｄが設けられ、それぞれの側片３３ｄの下部に突片３２ｅが挿入される穴３３ｆと上部に爪３３ｇが突設してある。穴３２ｆは突片３２ｅに対して回動自在であり、これにより係止部３３が穴３３ｆを軸にして回動する。また、係止部３３の垂直片３３ａと取付金具３２の垂直片３３ａとの間にばね３５が取付けられ、係止部３３の姿勢を保持する。被係止部３４は、固定部材３０に固着具等により取付けられたＬ形の金具であり、その垂下片３４ａに角形の穴３４ｂが設けてある。そして、係止部３３の爪３３ｇが、ランプ保持部材３１の長手方向外側に突出して被係止部３４の穴３４ｂに係止される。また、係止部３３の水平片３３ｂが取付金具３４の穴３２ｃよりランプ保持部材３１の下側に露出した操作部となり、これを工具等で押すことにより爪３３ｇを操作可能とし、穴３４ｂから外れる構成である。
【００５０】
次に上記照明器具のランプ交換作業について説明する。
【００５１】
図８に示すように、ランプ取付けの際、ランプ保持部材３１を上方に持ち上げ、係止部３３の爪３３ｇが穴３４ｂに嵌合することにより係止される。ランプ取外しの際には、上記のように穴３４ｂから工具で係止部３３を押すことにより回転し、爪３３ｇが本体１側の被係止部３４の穴３４ｂから外れ、ランプ保持部材３１が自重で下方に降りランプ交換が可能となる。本実施形態でも第１の実施形態と同様の効果が得られる。
【００５２】
この発明の第７の実施の形態の照明器具を図１０に基づいて説明する。図１０は本発明の第７の実施形態の照明器具の一部破断した取付説明図である。なお、第１の実施形態と同一部分には同一符号を付して説明を省略する。
【００５３】
図１０に示すように、本体１の一端の近傍には固定金具４０が取付けてある。ランプ保持部材４１は第１の実施形態と同様に回動自在に構成され、その一端の上片を折曲した部分に取付片４２が固着具等により取付けられている。
【００５４】
取付片４２は、下端に折曲形成された引き下ろし操作部４２ａを有する。すなわち引き下ろし操作部４２ａは、ランプ保持部材４１の一端の端面の下端にランプ保持部材４１の長手方向外側へ突出している。そして、取付片４２に係止部４３、固定金具４０に被係止部４４を設けている。
【００５５】
係止部４３は、引き下ろし操作部４２ａの上方に配置されたばねであり、下部が取付片４２に固定され、固定されていない上部に弾性変形可能な係合部４３ａを有するばねである。被係止部４４は、上下方向に移動自在に本体１側の固定金具４０に保持された垂直片４４ａと、引き下ろし操作部４２ａと略同一面に配置される水平片４４ｂとからなるＬ形金具である。垂直片４４ａには、係合部４３ａが係止する角形の穴部４４ｃを有する。この場合、固定金具４０の固定片４０ａにねじ止めされる被係止部４４の垂直片４４ａの部分が長穴になっていることにより、その長穴の範囲で被係止部４４が移動する。また、係止状態で固定片４０ａに被係止部４４の穴部４４ｃに連通する穴部４０ｂが設けてあり、この穴部４０ｂにも係合部４３ａが係止する。そして、水平片４４ｂを押し込むことにより係合部４３ａと穴部４４ｃの係止が解除され、引き下ろし操作部４２ａの上面が露出されるようにした。
【００５６】
次に上記照明器具のランプ交換作業について説明する。
【００５７】
図１０（ａ）に示すように、ランプ取付けの際、ランプ保持部材４１を上方に持ち上げ、係止部４３の係合部４３ａが被係止部４４の穴部４４ｃおよび穴部４０ｂに嵌合することにより係止される。また、ランプ取外しの際には、図１０（ｂ）に示すように、被係止部４４の水平片４４ｂを上方に押し上げることによって、係止部４３の係合部４３ａが穴部４４ｃから外れ、引き下ろし操作部４２ａが露出する。この状態では係止部４３の係合部４３ａが被係止部４４の垂直片４４ａに圧接している。そして、図９（ｃ）に示すように、露出した引き下ろし操作部４２ａを下方に引き下げることによって、ランプ保持部材４１が下方に降ろすことができランプ交換が可能となる。
【００５８】
本実施形態によれば、Ｌ形金具の水平片４４ｂを押し込むことによって、ばねの係合部４３ａが穴部４４ｃから外れるが、ばねの弾性によって垂直片４４ａに圧接し、ランプ保持部材４１は仮保持される。この状態で、露出した引き下ろし操作部４２ａを持って下方に引き下げるため、２段階で引き下ろすことができ、ランプ保持部材４１が落下する恐れが軽減され安全性が向上する。また、ランプ取付け状態では、引き下ろし操作部４２ａとＬ形金具の水平片４４ｂが略面一に配置されているため、引き下ろし操作部４２ａの上面が露出せず、外観品質が良好である。その他、第１の実施形態と同様の効果が得られる。
【００５９】
この発明の第８の実施の形態の照明器具を図１１および図１２に基づいて説明する。図１１（ａ）は本発明の第８の実施形態の照明器具の一部破断した取付状態の断面図、（ｂ）はその取外し状態の断面図、図１２は第８の実施形態の要部斜視図である。なお、第１の実施形態と同一部分には同一符号を付して説明を省略する。
【００６０】
図１１および図１２に示すように、本体１の一端の近傍には固定金具４５が設けてある。固定金具４５は下端を内向きに折曲形成したＬ形の部材である。また、ランプ保持部材４は、その一端に取付片４６の上端が固定されている。この取付片４６は本体１の固定部材４５に対向配置され、取付片４６の下端を折り畳むように折曲してさらに先端が外向きとなるように内側へ折曲して引き下ろし操作部４６ａを形成している。また、ランプ保持部材４の上部と固定金具４５の間に位置する本体１の内側面に引掛部４８を突設している。そして、取付片４６の外側に係止部を配置し、固定金具４５に被係止部を設けている。
【００６１】
係止部は、複数個の結び目４９ａを有した仮吊紐４９である。仮吊紐４９は取付片４６の近傍のランプ保持部材４に固定され、引掛部４８にかけて垂らされている。被係止部は仮吊紐４９の結び目４９を係止可能なだるま穴５０である。だるま穴５０は固定金具４５の水平片４５ａに形成され、結び目４９を挿通可能な大経の穴と結び目４９が係止される小経の穴とを連続して設けた形状である。
【００６２】
次に上記照明器具のランプ交換作業について説明する。
【００６３】
図１１（ａ）に示すように、ランプ取付けの際、ランプ保持部材４を上方に持ち上げ、ランプ保持部材４が略水平となるように仮吊紐４９を引張り結び目４９ａとだるま穴５０を係止させる。また、ランプ取外しの際には、図１１（ｂ）に示すように、仮吊紐４９をだるま穴５０の大きい方の経へスライドさせて係止を解除し、下側にある他の結び目４９ａとだるま穴５０を係止させることにより、ランプ保持部材４が自重により下方に降りランプ交換が可能となる。なお、仮吊紐４９の最下部の結び目４９ａはだるま穴５０の大きい方の経よりも大きく設定しておくことにより落下防止にもなる。
【００６４】
本実施形態によれば、仮吊紐４９に複数の結び目４９ａが設けられているため、多段階でランプを引き下ろし、仮保持することができる。また、仮保持させた状態にてランプ交換することができ、メンテナンス性が良い。その他、第１の実施形態と同様の効果が得られる。
【図面の簡単な説明】
【００６５】
【図１】本発明の第１の実施形態の照明器具の要部斜視図である。
【図２】第１の実施形態の作用説明図である。
【図３】（ａ）は照明器具のランプ取付状態の斜視図、（ｂ）はそのランプ交換時の斜視図である。
【図４】（ａ）は本発明の第２の実施形態の照明器具の要部斜視図、（ｂ）は一部破断側面図である。
【図５】（ａ）は本発明の第３の実施形態の照明器具の一部破断断面図、（ｂ）はその下から見た概略図である。
【図６】（ａ）は本発明の第４の実施形態の照明器具の一部破断断面図、（ｂ）はその下から見た概略図である。
【図７】本発明の第５の実施形態の照明器具の一部破断断面図である。
【図８】本発明の第６の実施形態の照明器具の一部破断断面図である。
【図９】第６の実施形態に用いる金具の斜視図である。
【図１０】本発明の第７の実施形態の照明器具の一部破断した取付説明図である。
【図１１】（ａ）は本発明の第８の実施形態の照明器具の一部破断した取付状態の断面図、（ｂ）はその取外し状態の断面図である。
【図１２】第８の実施形態の要部斜視図である。
【図１３】（ａ）は従来例の照明器具の分解斜視図、（ｂ）は断面図である。
【符号の説明】
【００６６】
１  本体
２  反射板
３  ランプ
４  ランプ保持部
７  ばね（係止部）
８  リブ（被係止部）
１１  穴部
１２  ばね
１７，２０  係止部
１７ａ，２０ａ  爪
１７ｂ，２０ｂ  操作部
１８  被係止部
２８  つまみねじ
２９  固定金具
３３  係止部
３３ｇ  爪
３３ｂ  水平片
３４  被係止部
４２  取付片
４２ａ  引き下ろし操作部
４３  係止部
４３ａ  係合部
４４  被係止部
４４ｂ  水平片
４４ｃ  穴部
４９  仮吊紐
５０  だるま穴
【図１】
2006012535.tif 000003
【図２】
2006012535.tif 000004
【図３】
2006012535.tif 000005
【図４】
2006012535.tif 000006
【図５】
2006012535.tif 000007
【図６】
2006012535.tif 000008
【図７】
2006012535.tif 000009
【図８】
2006012535.tif 000010
【図９】
2006012535.tif 000011
【図１０】
2006012535.tif 000012
【図１１】
2006012535.tif 000013
【図１２】
2006012535.tif 000014
【図１３】
2006012535.tif 000015
【手続補正書】
【提出日】平成16年7月5日(2004.7.5)
【手続補正１】
【補正対象書類名】図面
【補正対象項目名】全図
【補正方法】変更
【補正の内容】
【図１】
2006012535.tif 000016
【図２】
2006012535.tif 000017
【図３】
2006012535.tif 000018
【図４】
2006012535.tif 000019
【図５】
2006012535.tif 000020
【図６】
2006012535.tif 000021
【図７】
2006012535.tif 000022
【図８】
2006012535.tif 000023
【図９】
2006012535.tif 000024
【図１０】
2006012535.tif 000025
【図１１】
2006012535.tif 000026
【図１２】
2006012535.tif 000027
【図１３】
2006012535.tif 000028